(57)【要約】【課題】維持放電駆動回路の製造単価を減らせるプラズマ表示装置及びその駆動装置とその駆動方法を提供すること。【解決手段】複数の第１電極と；第１電源に第１端子が連結されている第１トランジスターと；第２電源に第１端子が連結されている第２トランジスターと；第１端子が第１トランジスターの第２端子に、第２端子が第２トランジスターの第２端子に連結されている第３トランジスターと；第３電圧に充電されている第１キャパシタと；第４電圧に充電されている第２キャパシタと；第１キャパシタの第１端子と第１トランジスターの第２端子の間に連結されている第４トランジスターと；第２キャパシタの第２端子と第２トランジスターの第２端子の間に連結されている第５トランジスターと；複数の第１電極の電圧を変更させる電流経路と；を含むことを特徴とする、プラズマ表示装置が提供される。【選択図】図３
2008077049.tif 000002
【特許請求の範囲】
【請求項１】
複数の第１電極と；
第１電圧を供給する第１電源に第１端子が連結されている第１トランジスターと；
前記第１電圧より低い第２電圧を供給する第２電源に第１端子が連結されている第２トランジスターと；
第１端子が前記第１トランジスターの第２端子に連結され、第２端子が前記第２トランジスターの第２端子に連結されている第３トランジスターと；
第３電圧に充電されており、第１端子が前記第１トランジスターの第２端子及び前記複数の第１電極に連結されている第１キャパシタと；
第４電圧に充電されており、第１端子が前記第１キャパシタの第２端子に連結され、第２端子が前記第２トランジスターの第２端子及び前記複数の第１電極に連結されている第２キャパシタと；
前記第１キャパシタの第１端子と前記第１トランジスターの第２端子の間に連結されている第４トランジスターと；
前記第２キャパシタの第２端子と前記第２トランジスターの第２端子の間に連結されている第５トランジスターと；
前記第１及び第２キャパシタの接続点と前記複数の第１電極の間に連結されて、前記複数の第１電極の電圧を変更させる電流経路と；
を含むことを特徴とする、プラズマ表示装置。
【請求項２】
前記電流経路は、
前記第１キャパシタと第２キャパシタとの接続点に第１端子が連結されているインダクターと；
第１端子が前記インダクターの第２端子に連結され、第２端子が前記複数の第１電極に連結されている第６トランジスターと；
を含むことを特徴とする、請求項１に記載のプラズマ表示装置。
【請求項３】
前記第６トランジスターは、前記第２端子から前記第１端子までボディーダイオードが形成されていることを特徴とする、請求項２に記載のプラズマ表示装置。
【請求項４】
第１端子が前記複数の第１電極の各第１電極に連結されており、第２端子が前記第１キャパシタの第１端子に連結されている複数の第７トランジスターと、
第１端子が各々前記第６トランジスターの第２端子に連結され、第２端子が各々複数の第１電極の各第１電極に連結されている複数の第８トランジスターと、
をさらに含むことを特徴とする、請求項３に記載のプラズマ表示装置。
【請求項５】
前記複数の第８トランジスターの第１端子と前記第２キャパシタの第２端子の間に連結されている第９トランジスターをさらに含むことを特徴とする、請求項４に記載のプラズマ表示装置。
【請求項６】
第１期間の間に前記第２トランジスター、第３トランジスター、第４トランジスター及び第６トランジスターを導通状態に設定し、
第２期間の間に前記第２トランジスター、第５トランジスター及び第６トランジスターを導通状態に設定し、
第３期間の間に前記第１トランジスター、第３トランジスター、第５トランジスター及び第６トランジスターを導通状態に設定し、
第４期間の間に前記第１トランジスター、第３トランジスター、第５トランジスター、第７トランジスター及び第９トランジスターを導通状態に設定し、
第５期間の間に前記第１トランジスター、第３トランジスター、第５トランジスター及び第８トランジスターを導通状態に設定し、
第６期間の間に前記第２トランジスター、第５トランジスター及び第８トランジスターを導通状態に設定し、
第７期間の間に前記第２トランジスター、第３トランジスター、第４トランジスター及び第６トランジスターを導通状態に設定し、
第８期間の間に前記第２トランジスター、第３トランジスター、第４トランジスター及び第８トランジスターを導通状態に設定する制御部をさらに含むことを特徴とする、請求項５に記載のプラズマ表示装置。
【請求項７】
第１端子が前記複数の第１電極の各第１電極に連結され、第２端子が前記第２キャパシタの第２端子の間に連結されている複数の第７トランジスターと、
第１端子が前記第６トランジスターの第２端子に連結され、第２端子が前記複数の第１電極の各第１電極に連結されている複数の第８トランジスターをさらに含むことを特徴とする、請求項３に記載のプラズマ表示装置。
【請求項８】
前記複数の第８トランジスターの第１端子と前記第１キャパシタの第１端子の間に連結されている第９トランジスターをさらに含むことを特徴とする、請求項７に記載のプラズマ表示装置。
【請求項９】
第１期間の間に前記第２トランジスター、第３トランジスター、第４トランジスター及び第８トランジスターを導通状態に設定し、
第２期間の間に前記第２トランジスター、第５トランジスター及び第８トランジスターを導通状態に設定し、
第３期間の間に前記第１トランジスター、第３トランジスター、第５トランジスター及び第８トランジスターを導通状態に設定し、
第４期間の間に前記第１トランジスター、第３トランジスター、第５トランジスター、第８トランジスター及び第９トランジスターを導通状態に設定し、
第５期間の間に前記第１トランジスター、第３トランジスター、第５トランジスター及び第６トランジスターを導通状態に設定し、
第６期間の間に前記第２トランジスター、第５トランジスター及び第６トランジスターを導通状態に設定し、
第７期間の間に前記第２トランジスター、第３トランジスター、第４トランジスター及び第６トランジスターを導通状態に設定し、
第８期間の間に前記第２トランジスター、第３トランジスター、第４トランジスター及び第７トランジスターを導通状態に設定する制御部をさらに含むことを特徴とする、請求項８に記載のプラズマ表示装置。
【請求項１０】
前記第１電圧は正の電圧であり、前記第２電圧は接地電圧であることを特徴とする、請求項１〜９のいずれかに記載のプラズマ表示装置。
【請求項１１】
前記第１電圧及び第２電圧は正の電圧であることを特徴とする、請求項１〜９のいずれかに記載のプラズマ表示装置。
【請求項１２】
前記第１電圧は正の電圧であり、前記第２電圧は負の電圧であることを特徴とする、請求項１〜９のいずれかに記載のプラズマ表示装置。
【請求項１３】
第１電極を含むプラズマ表示装置の駆動方法において、
ａ）前記第１電極に第１電圧を印加した状態で第２電圧を供給する第１電源に第１端子が連結された第１キャパシタに保存されたエネルギーをインダクターを通して第１電極に与えるステップと；
ｂ）前記第１キャパシタの第２端子に第１端子が連結され、第３電圧を供給する第２電源に第２端子が連結された第２キャパシタに保存されたエネルギーを前記インダクターを通して前記第１電極に与えるステップと；
ｃ）前記第１電源と前記第２キャパシタに保存されたエネルギーを前記インダクターを通して前記第１電極に与えるステップと；
ｄ）前記第１電源と前記第１及び第２キャパシタを通して前記第１電極に第４電圧を印加するステップと；
ｅ）前記第１電極に保存されたエネルギーを前記インダクターを通して前記第２キャパシタ及び第１電源として回収するステップと；
ｆ）前記第１電極に保存されたエネルギーを前記インダクターを通して前記第２キャパシタ及び第２電源として回収するステップと；
ｇ）前記第１電極に保存されたエネルギーを前記インダクターを通して前記第１キャパシタ及び前記第１電源として回収するステップと；
ｈ）前記第１、第２キャパシタ及び前記第２電源を通して前記第１電極に前記第１電圧を印加するステップと；
を含むことを特徴とする、プラズマ表示装置の駆動方法。
【請求項１４】
前記プラズマ表示装置は、前記第１キャパシタ及び第２キャパシタの接続点と前記インダクターの間、または前記インダクターと前記第１電極の間にボディーダイオードを有するトランジスターをさらに含み、
前記ｅ）、ｆ）及びｇ）ステップは、前記トランジスターのボディーダイオードを通して、前記第１電極に保存されたエネルギーを回収することを特徴とする、請求項１３に記載のプラズマ表示装置の駆動方法。
【請求項１５】
前記プラズマ表示装置は、前記第１キャパシタ及び第２キャパシタの接続点と前記インダクターの間または前記インダクターと前記第１電極の間にボディーダイオードを有するトランジスターをさらに含み、
前記ａ）、ｂ）及びｃ）ステップは、前記トランジスターのボディーダイオードを通して、前記第１電極でエネルギーを与えることを特徴とする請求項１３に記載のプラズマ表示装置の駆動方法。
【請求項１６】
第１電極を含むプラズマ表示装置の駆動装置において、
前記第１電極に第１端子が連結されているインダクターと；
前記インダクターの第２端子に第１端子が連結されており、第２端子が前記第１電極に連結されている第１キャパシタと；
前記インダクターの第２端子に第１端子が連結されており、第２端子が前記第１電極に連結されている第２キャパシタと；
前記第１キャパシタ及び第２キャパシタの接続点と前記複数の第１電極の間に連結されているインダクターを通して前記第１電極の電圧を変更させる電流経路と；
前記第１キャパシタの第２端子または前記第２キャパシタの第２端子に第１電圧と前記第１電圧より低い第２電圧を選択的に印加するスイッチング手段と；
を含むことを特徴とする、プラズマ表示装置の駆動装置。
【請求項１７】
前記電流経路は、
前記第１キャパシタ及び第２キャパシタの接続点と前記インダクターの第２端子の間または前記インダクターの第１端子と前記第１電極の間に連結されているトランジスターをさらに含むことを特徴とする、請求項１６に記載のプラズマ表示装置の駆動装置。
【請求項１８】
前記第１キャパシタの第２端子に前記第２電圧を印加した状態で、前記トランジスターを導通して前記第１電極の電圧を増加させ、
前記第２キャパシタの第２端子に前記第２電圧を印加した状態で、前記トランジスターを導通して前記第１電極の電圧をさらに増加させ、
前記第２キャパシタの第２端子に前記第１電圧を印加した状態で、前記トランジスターを導通して前記第１電極の電圧をさらに増加させた後、
前記第２キャパシタの第２端子に前記第１電圧を印加した状態で、前記第１キャパシタの第２端子を通して前記第１電極に第３電圧を印加し、
前記第２キャパシタの第２端子に前記第１電圧を印加した状態で、前記トランジスターを導通して前記第１電極の電圧を減少させ、
前記第２キャパシタの第２端子に前記第２電圧を印加した状態で、前記トランジスターを導通して前記第１電極の電圧をさらに減少させ、
前記第１キャパシタの第２端子に前記第２電圧を印加した状態で、前記トランジスターを導通して前記第１電極の電圧をさらに減少させた後、
前記第１キャパシタの第２端子に前記第１電圧を印加した状態で、前記第２キャパシタの第２端子を通して前記第１電極に第４電圧を印加することを特徴とする、請求項１７に記載のプラズマ表示装置の駆動装置。
【請求項１９】
前記第３電圧は前記第２電圧と前記第１キャパシタ及び第２キャパシタに充電されている電圧を合わせた電圧と略同じ電圧であり、前記第４電圧は前記第１電圧から前記第１及び第２キャパシタに充電されている電圧を差し引いた電圧と略同じ電圧であることを特徴とする、請求項１８に記載のプラズマ表示装置の駆動装置。
【発明の詳細な説明】
【技術分野】
【０００１】
本発明は、プラズマ表示装置、プラズマ表示装置の駆動装置およびプラズマ表示装置の駆動方法に関する。
【背景技術】
【０００２】
プラズマ表示装置は、気体放電によって生成されたプラズマを用いて、文字または映像を表示する装置である。このようなプラズマ表示パネルにはその寸法・解像度により数十から数百万個以上の放電セルがマトリックス状に配列されている。
【０００３】
プラズマ表示装置において、１フレームが各々加重値を有する複数のサブフィールドに分割されて駆動され、複数のサブフィールドの中、表示動作が発生するサブフィールドの加重値の組み合わせによって階調が表示される。各サブフィールドのアドレス期間の間に点灯されるセルと点灯されないセルが選択されて維持期間の間に実際に映像を示すため、点灯されるセルに対して維持放電が行われる。
【発明の開示】
【発明が解決しようとする課題】
【０００４】
特に、維持期間では維持放電を遂行する電極にハイレベル電圧とローレベル電圧が交互に印加されるため、ハイレベル電圧とローレベル電圧を印加するためのトランジスターは少なくともハイレベル電圧とローレベル電圧の差に当る電圧を耐圧として有しなければならない。このように高い耐圧を有するトランジスターによって、維持放電駆動回路の製造単価が増加する問題があった。
【０００５】
そこで、本発明は、上記問題に鑑みてなされたものであり、本発明の目的とするところは、維持放電駆動回路の製造単価を減らせる、新規かつ改良されたプラズマ表示装置、プラズマ表示装置の駆動装置およびプラズマ表示装置の駆動方法を提供することにある。
【課題を解決するための手段】
【０００６】
上記課題を解決するために、本発明のある観点によれば、複数の第１電極と；第１電圧を供給する第１電源に第１端子が連結されている第１トランジスターと；第１電圧より低い第２電圧を供給する第２電源に第１端子が連結されている第２トランジスターと；第１端子が第１トランジスターの第２端子に連結され、第２端子が第２トランジスターの第２端子に連結されている第３トランジスターと；第３電圧に充電されており、第１端子が第１トランジスターの第２端子及び複数の第１電極に連結されている第１キャパシタと；第４電圧に充電されており、第１端子が第１キャパシタの第２端子に連結され、第２端子が第２トランジスターの第２端子及び複数の第１電極に連結されている第２キャパシタと；第１キャパシタの第１端子と第１トランジスターの第２端子の間に連結されている第４トランジスターと；第２キャパシタの第２端子と第２トランジスターの第２端子の間に連結されている第５トランジスターと；第１及び第２キャパシタの接続点と複数の第１電極の間に連結されて、複数の第１電極の電圧を変更させる電流経路と；を含むことを特徴とする、プラズマ表示装置が提供される。
【０００７】
電流経路は、第１キャパシタと第２キャパシタとの接続点に第１端子が連結されているインダクターと；第１端子がインダクターの第２端子に連結され、第２端子が複数の第１電極に連結されている第６トランジスターと；を含んでもよい。
【０００８】
第６トランジスターは、第２端子から第１端子までボディーダイオードが形成されていてもよい。
【０００９】
第１端子が複数の第１電極の各第１電極に連結されており、第２端子が第１キャパシタの第１端子に連結されている複数の第７トランジスターと、第１端子が各々第６トランジスターの第２端子に連結され、第２端子が各々複数の第１電極の各第１電極に連結されている複数の第８トランジスターと、をさらに含んでいてもよい。
【００１０】
複数の第８トランジスターの第１端子と第２キャパシタの第２端子の間に連結されている第９トランジスターをさらに含んでいてもよい。
【００１１】
第１期間の間に第２トランジスター、第３トランジスター、第４トランジスター及び第６トランジスターを導通状態に設定し、第２期間の間に第２トランジスター、第５トランジスター及び第６トランジスターを導通状態に設定し、第３期間の間に第１トランジスター、第３トランジスター、第５トランジスター及び第６トランジスターを導通状態に設定し、第４期間の間に第１トランジスター、第３トランジスター、第５トランジスター、第７トランジスター及び第９トランジスターを導通状態に設定し、第５期間の間に第１トランジスター、第３トランジスター、第５トランジスター及び第８トランジスターを導通状態に設定し、第６期間の間に第２トランジスター、第５トランジスター及び第８トランジスターを導通状態に設定し、第７期間の間に第２トランジスター、第３トランジスター、第４トランジスター及び第６トランジスターを導通状態に設定し、第８期間の間に第２トランジスター、第３トランジスター、第４トランジスター及び第８トランジスターを導通状態に設定する制御部をさらに含んでいてもよい。
【００１２】
第１端子が複数の第１電極の各第１電極に連結され、第２端子が第２キャパシタの第２端子の間に連結されている複数の第７トランジスターと、第１端子が第６トランジスターの第２端子に連結され、第２端子が複数の第１電極の各第１電極に連結されている複数の第８トランジスターと、をさらに含んでいてもよい。
【００１３】
複数の第８トランジスターの第１端子と第１キャパシタの第１端子の間に連結されている第９トランジスターをさらに含んでいてもよい。
【００１４】
第１期間の間に第２トランジスター、第３トランジスター、第４トランジスター及び第８トランジスターを導通状態に設定し、第２期間の間に第２トランジスター、第５トランジスター及び第８トランジスターを導通状態に設定し、第３期間の間に第１トランジスター、第３トランジスター、第５トランジスター及び第８トランジスターを導通状態に設定し、第４期間の間に第１トランジスター、第３トランジスター、第５トランジスター、第８トランジスター及び第９トランジスターを導通状態に設定し、第５期間の間に第１トランジスター、第３トランジスター、第５トランジスター及び第６トランジスターを導通状態に設定し、第６期間の間に第２トランジスター、第５トランジスター及び第６トランジスターを導通状態に設定し、第７期間の間に第２トランジスター、第３トランジスター、第４トランジスター及び第６トランジスターを導通状態に設定し、第８期間の間に第２トランジスター、第３トランジスター、第４トランジスター及び第７トランジスターを導通状態に設定する制御部をさらに含んでいてもよい。
【００１５】
第１電圧は正の電圧であり、第２電圧は接地電圧であってもよく、第１電圧及び第２電圧は正の電圧であってもよく、第１電圧は正の電圧であり、第２電圧は負の電圧であってもよい。
【００１６】
また、上記課題を解決するために、本発明の別の観点によれば、第１電極を含むプラズマ表示装置の駆動方法において、ａ）第１電極に第１電圧を印加した状態で第２電圧を供給する第１電源に第１端子が連結された第１キャパシタに保存されたエネルギーをインダクターを通して第１電極に与えるステップと；ｂ）第１キャパシタの第２端子に第１端子が連結され、第３電圧を供給する第２電源に第２端子が連結された第２キャパシタに保存されたエネルギーをインダクターを通して第１電極に与えるステップと；ｃ）第１電源と第２キャパシタに保存されたエネルギーをインダクターを通して第１電極に与えるステップと；ｄ）第１電源と第１及び第２キャパシタを通して第１電極に第４電圧を印加するステップと；ｅ）第１電極に保存されたエネルギーをインダクターを通して第２キャパシタ及び第１電源として回収するステップと；ｆ）第１電極に保存されたエネルギーをインダクターを通して第２キャパシタ及び第２電源として回収するステップと；ｇ）第１電極に保存されたエネルギーをインダクターを通して第１キャパシタ及び第１電源として回収するステップと；ｈ）第１、第２キャパシタ及び第２電源を通して第１電極に第１電圧を印加するステップと；を含むことを特徴とする、プラズマ表示装置の駆動方法が提供される。
【００１７】
プラズマ表示装置は、第１キャパシタ及び第２キャパシタの接続点とインダクターの間、またはインダクターと第１電極の間にボディーダイオードを有するトランジスターをさらに含み、ｅ）、ｆ）及びｇ）ステップは、トランジスターのボディーダイオードを通して、第１電極に保存されたエネルギーを回収してもよい。
【００１８】
プラズマ表示装置は、第１キャパシタ及び第２キャパシタの接続点とインダクターの間またはインダクターと第１電極の間にボディーダイオードを有するトランジスターをさらに含み、ａ）、ｂ）及びｃ）ステップは、トランジスターのボディーダイオードを通して、第１電極でエネルギーを与えるようにしてもよい。
【００１９】
また、上記課題を解決するために、本発明の別の観点によれば、第１電極を含むプラズマ表示装置の駆動装置において、第１電極に第１端子が連結されているインダクターと；インダクターの第２端子に第１端子が連結されており、第２端子が第１電極に連結されている第１キャパシタと；インダクターの第２端子に第１端子が連結されており、第２端子が第１電極に連結されている第２キャパシタと；第１キャパシタ及び第２キャパシタの接続点と複数の第１電極の間に連結されているインダクターを通して第１電極の電圧を変更させる電流経路と；第１キャパシタの第２端子または第２キャパシタの第２端子に第１電圧と第１電圧より低い第２電圧を選択的に印加するスイッチング手段と；を含むことを特徴とする、プラズマ表示装置の駆動装置が提供される。
【００２０】
電流経路は、第１キャパシタ及び第２キャパシタの接続点とインダクターの第２端子の間またはインダクターの第１端子と第１電極の間に連結されているトランジスターをさらに含んでいてもよい。
【００２１】
第１キャパシタの第２端子に第２電圧を印加した状態で、トランジスターを導通して第１電極の電圧を増加させ、第２キャパシタの第２端子に第２電圧を印加した状態で、トランジスターを導通して第１電極の電圧をさらに増加させ、第２キャパシタの第２端子に第１電圧を印加した状態で、トランジスターを導通して第１電極の電圧をさらに増加させた後、第２キャパシタの第２端子に第１電圧を印加した状態で、第１キャパシタの第２端子を通して第１電極に第３電圧を印加し、第２キャパシタの第２端子に第１電圧を印加した状態で、トランジスターを導通して第１電極の電圧を減少させ、第２キャパシタの第２端子に第２電圧を印加した状態で、トランジスターを導通して第１電極の電圧をさらに減少させ、第１キャパシタの第２端子に第２電圧を印加した状態で、トランジスターを導通して第１電極の電圧をさらに減少させた後、第１キャパシタの第２端子に第１電圧を印加した状態で、第２キャパシタの第２端子を通して第１電極に第４電圧を印加するようにしてもよい。
【００２２】
第３電圧は第２電圧と第１キャパシタ及び第２キャパシタに充電されている電圧を合わせた電圧と略同じ電圧であり、第４電圧は第１電圧から第１及び第２キャパシタに充電されている電圧を差し引いた電圧と略同じ電圧であってもよい。
【発明の効果】
【００２３】
以上説明したように本発明によれば、維持放電駆動回路の製造単価を減らせる、新規かつ改良されたプラズマ表示装置及びその駆動装置とその駆動方法を提供することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
明細書全体で、ある部分が他の部分と“連結”されているという時、これは“直接連結”されている場合だけでなく、その中間に他の素子を間において“電気的に連結”されている場合も含む。また、ある部分がある構成要素を“含む”とするとする時、これは特に反対の記載がない限り、他の構成要素を除くのではなく、他の構成要素をさらに含むことができることを意味する。
【００２６】
そして、明細書全体における電圧を維持するという表現は、特定する２点間の電位差が時間経過により変化してもその変化が設計上許容できる範囲内、または変化の原因が当業者の設計慣行では無視できる寄生成分による場合を含む。また、放電電圧に比べて半導体素子（トランジスター、ダイオードなど）のしきい電圧が非常に低いため、しきい電圧を０Ｖと見なして近似処理する。
【００２７】
まず、本発明の一実施形態によるプラズマ表示装置及びその駆動装置とその駆動方法について図を参照して詳細に説明する。
【００２８】
図１は本発明の一実施形態によるプラズマ表示装置を示す説明図であり、図２は本発明の一実施形態による駆動波形を示した説明図である。図２では説明の便宜上一つのＡ電極、Ｙ電極及びＡ電極によって形成されるセルを基準として説明し、Ａ電極、Ｙ電極及びＡ電極を各々Ａ、Ｙ及びＸで示した。
【００２９】
図１に示したように、本発明の実施形態によるプラズマ表示装置は、プラズマ表示パネル１００、制御部２００、アドレス電極駆動部３００、走査電極駆動部４００及び維持電極駆動部５００を含む。
【００３０】
プラズマ表示パネル１００は、列方向に延びている複数のアドレス電極（以下、“Ａ電極”という）（Ａ１〜Ａｍ）、そして、行方向に互いに対をなしながら延びている複数の維持電極（以下、“Ｘ電極”という）（Ｘ１〜Ｘｎ）及び走査電極（以下、“Ｙ電極”という）（Ｙ１〜Ｙｎ）を含む。一般にＸ電極（Ｘ１〜Ｘｎ）は、各々のＹ電極（Ｙ１〜Ｙｎ）に対応して形成されており、Ｘ電極とＹ電極が維持期間で画像を表現するための表示動作を行う。Ｙ電極（Ｙ１〜Ｙｎ）とＸ電極（Ｘ１〜Ｘｎ）は、Ａ電極（Ａ１〜Ａｍ）と直交配置される。この時、Ａ電極（Ａ１〜Ａｍ）とＸ及びＹ電極（Ｘ１〜Ｘｎ、Ｙ１〜Ｙｎ）の交差部にある放電空間がセル１１０を形成する。このようなプラズマ表示パネル１００の構造は一例であり、下記で説明する駆動波形が適用できる他の構造を有するパネルも本発明に適用される。
【００３１】
制御部２００は、外部から映像信号を受信してＡ電極駆動制御信号、Ｘ電極駆動制御信号及びＹ電極駆動制御信号を出力する。そして、制御部２００は、１フレームを複数のサブフィールドに分割して駆動し、各サブフィールドはアドレス期間及び維持期間を含む。
【００３２】
アドレス電極駆動部３００、走査電極駆動部４００及び維持電極駆動部５００は、制御部２００からの駆動制御信号に応じて、各々Ａ電極（Ａ１〜Ａｍ）、Ｙ電極（Ｙ１〜Ｙｎ）及びＸ電極（Ｘ１〜Ｘｎ）に駆動電圧を印加する。
【００３３】
具体的には、図２に示したように、各サブフィールドの維持期間の間にアドレス電極駆動部３００は、複数のＡ電極（Ａ）に基準電圧（図２では０Ｖ）を印加した状態で走査電極駆動部４００は複数のＹ電極（Ｙ）にハイレベル電圧（図２では２Ｖｓ）及びローレベル電圧（図２では−Ｖｓ）を交互に有する維持放電パルスを当該サブフィールドの加重値に当る回数だけ印加する。そして、維持電極駆動部５００は、複数のＸ電極（Ｘ）に維持放電パルスをＹ電極（Ｙ）に印加される維持放電パルスと逆位相で印加する。すると、各Ｙ電極と各Ｘ電極の電圧差が３Ｖｓと−３Ｖｓである状態を交互に有し、そのために点灯される放電セルで維持放電が所定回数だけ繰り返し発生する。
【００３４】
図２の維持放電パルスを供給する維持放電駆動回路について、図３、図４及び図５Ａ〜図５Ｈを参照して詳細に説明する。
【００３５】
図３は、本発明の第１の実施形態にかかる、図２の駆動波形を生成するための走査電極駆動部４００の維持放電駆動回路４１０を示した図である。図３では説明の便宜上複数のＹ電極（Ｙ１〜Ｙｎ）に連結されている維持放電駆動回路４１０だけを示し、このような維持放電駆動回路４１０は、図１の走査電極駆動部４００に形成できる。そして、維持放電駆動回路４１０では説明の便宜上一つのＸ電極（Ｘ）と一つのＹ電極（Ｙ）だけを示し、Ｘ電極（Ｘ）とＹ電極（Ｙ）によって形成される容量性成分をパネルキャパシタ（Ｃｐ）として示した。また、Ｘ電極にも維持放電駆動回路５１０が連結されている。このような維持放電駆動回路５１０は、図１の維持電極駆動部５００のように形成することができる。
【００３６】
図３に示したように、維持放電駆動回路４１０は、トランジスター（Ｙ１、Ｙ２、Ｙ３、Ｙｐ、Ｙｎ、Ｙｒ、ＹＬ）、キャパシタ（Ｃｓ１、Ｃｓ２）、インダクター（Ｌｙ）及び走査集積回路（以下、“走査ＩＣ”という）４１１を含む。図３ではトランジスター（Ｙ１、Ｙ２、Ｙ３、Ｙｐ、Ｙｎ、Ｙｒ、ＹＬ、Ｓｃｈ、Ｓｃｌ）をｎチャンネル電界効果トランジスター、特にＮＭＯＳ（Ｎ−ｃｈａｎｎｅｌ  Ｍｅｔａｌ  Ｏｘｉｄｅ  Ｓｅｍｉｃｏｎｄｕｃｔｏｒ）トランジスターとして示し、これらのトランジスター（Ｙ１、Ｙ２、Ｙ３、Ｙｐ、Ｙｎ、ＹｒＹＬ、Ｓｃｈ、Ｓｃｌ）にはソースからドレーン方向にボディーダイオードが形成できる。そして、ＮＭＯＳトランジスターの代わりに似たような機能を有する他のトランジスターがこれらのトランジスター（Ｙ１、Ｙ２、Ｙ３、Ｙｐ、Ｙｎ、Ｙｒ、ＹＬ、Ｓｃｈ、Ｓｃｌ）として用いられる。また、図３では、トランジスター（Ｙ１、Ｙ２、Ｙ３、Ｙｐ、Ｙｎ、Ｙｒ、ＹＬ、Ｓｃｈ、Ｓｃｌ）を各々一つのみ示したが、トランジスター（Ｙ１、Ｙ２、Ｙ３、Ｙｐ、Ｙｎ、Ｙｒ、ＹＬ、Ｓｃｈ、Ｓｃｌ）は各々並列連結された複数のトランジスターで形成できる。
【００３７】
図３に示したように、走査ＩＣ４１１は第１入力端と第２入力端を有し、出力端がパネルキャパシタ（Ｃｐ）のＹ電極に連結されている。このような走査ＩＣ４１１はアドレス期間で点灯されるセルを選択するために、第１入力端の電圧と第２入力端の電圧を対応するＹ電極に選択的に印加する。図３では走査ＩＣ４１１に一つのＹ電極が連結されていることを示したが、走査ＩＣ４１１が複数の出力端を有することができる。つまり、走査ＩＣ４１１の複数の出力端に複数のＹ電極（Ｙ１〜Ｙｋ）が連結できる。この時、走査ＩＣ４１１の出力端の個数がＹ電極（Ｙ１〜Ｙｎ）の個数より少ない場合には、複数の走査ＩＣ４１１を用いることができる。
【００３８】
走査ＩＣ４３１はトランジスター（Ｓｃｈ、Ｓｃｌ）を含む。トランジスター（Ｓｃｈ）のソースとトランジスター（Ｓｃｌ）のドレーンは各々パネルキャパシタ（Ｃｐ）のＹ電極に連結されており、トランジスター（Ｓｃｈ）のドレーンは走査ＩＣ４１１の第１入力端に連結されており、トランジスター（Ｓｃｌ）のソースは走査ＩＣ４１１の第２入力端に連結されている。走査ＩＣ４１１の第２入力端に第１端が連結されているインダクター（Ｌｙ）の第２端が、キャパシタ（Ｃｓ１）の第２端及びキャパシタ（Ｃｓ２）の第１端に連結されている。キャパシタ（Ｃｓ１）の第１端にソースが連結されているトランジスター（Ｙ１）のドレーンがＶｓ電圧を供給する電源（Ｖｓ）に連結されており、キャパシタ（Ｃｓ２）の第２端にドレーンが連結されているトランジスター（Ｙ３）のソースが接地線０に連結されている。また、キャパシタ（Ｃｓ１）の第１端は走査ＩＣ４１１の第１入力端と連結されている。そして、トランジスター（Ｙ１）のソースにドレーンが連結されているトランジスター（Ｙ２）のソースがトランジスター（Ｙ３）のドレーンに連結されている。トランジスター（Ｙ１）のドレーンとキャパシタ（Ｃｓ１）の第１端の間にトランジスター（Ｙｐ）が連結されており、トランジスター（Ｙ３）とキャパシタ（Ｃｓ２）の第２端の間にトランジスター（Ｙｎ）が連結されている。この時、トランジスター（Ｙ１、Ｙ２、Ｙ３、Ｙｐ、Ｙｎ）は、キャパシタ（Ｃｓ１）の第１端またはキャパシタ（Ｃｓ２）の第２端にＶｓ電圧または０Ｖ電圧を選択的に印加するスイッチング手段として動作する。そして、トランジスター（Ｙ１、Ｙ３）は、導通時に二つのキャパシタ（Ｃｓ１、Ｃｓ２）が各々Ｖｓ／２電圧に充電する充電経路、つまり、電源（Ｖｓ）、トランジスター（Ｙ１）、トランジスター（Ｙｐ）のボディーダイオード、トランジスター（Ｙｎ）のボディーダイオード及びトランジスター（Ｙ３）及び接地線の経路を形成し、この充電経路によって、キャパシタ（Ｃｓ１、Ｃｓ２）は各々Ｖｓ／２電圧に充電できる。また、インダクター（Ｌｙ）の第１端と走査ＩＣ４１１の第２入力端の間にトランジスター（Ｙｒ）が連結されており、キャパシタ（Ｃｓ２）の第２端と走査ＩＣ４１１の第２入力端の間にトランジスター（ＹＬ）が連結されている。ここで、トランジスター（Ｙｒ）がキャパシタ（Ｃｓ１、Ｃｓ２）とインダクター（Ｌｙ）の間に連結されてもよい。
【００３９】
図３の維持放電駆動回路４１０の動作について、図４、図５Ａ〜図５Ｈを参照して詳細に説明する。
【００４０】
図４は図２の駆動波形を生成するための維持放電駆動回路４１０の信号タイミングを示す説明図であり、図５Ａ〜図５Ｈは、各々図４の信号タイミングに応じた維持放電駆動回路４１０の動作を示す説明図である。モード１（Ｍ１）が始まる前に、トランジスター（Ｙ２、Ｙ３、Ｙｐ、ＹＬ、Ｓｃｌ）が導通状態になっており、Ｙ電極（Ｙ）に−Ｖｓ電圧が印加されていると仮定する。
【００４１】
図４及び図５Ａに示したように、モード１（Ｍ１）でトランジスター（Ｙｒ）が導通状態になり、トランジスター（ＹＬ、Ｓｃｌ）が遮断状態になることで、接地線０、トランジスター（Ｙ３、Ｙ２、Ｙｐ）のボディーダイオード、キャパシタ（Ｃｓ１）、インダクター（Ｌｙ）、トランジスター（Ｙｒ）、トランジスター（Ｓｃｌ）のボディーダイオード及びパネルキャパシタ（Ｃｐ）のＹ電極（Ｙ）の経路で共振が発生する（このときの経路を図５Ａにおいて丸１で表示している）。そして、キャパシタ（Ｃｓ１）に充電されたエネルギーがインダクター（Ｌｙ）を通してＹ電極（Ｙ）に注入されて、Ｙ電極（Ｙ）の電圧が−Ｖｓ電圧から０Ｖ電圧まで増加する。
【００４２】
次に、モード２（Ｍ２）でトランジスター（Ｙｎ）が導通状態になり、トランジスター（Ｙ２、Ｙｐ）が遮断状態になることで、図５Ｂに示したように、接地線０、トランジスター（Ｙ３）のボディーダイオード、トランジスター（Ｙｎ）、キャパシタ（Ｃｓ２）、インダクター（Ｌｙ）、トランジスター（Ｙｒ）、トランジスター（Ｓｃｌ）のボディーダイオード及びパネルキャパシタ（Ｃｐ）のＹ電極（Ｙ）の経路で共振が発生する（経路は図５Ｂの丸２で示している）。そして、キャパシタ（Ｃｓ２）に充電されたエネルギーがインダクター（Ｌｙ）を通してＹ電極（Ｙ）に注入されてＹ電極（Ｙ）の電圧が０Ｖ電圧からＶｓ電圧まで増加する。この時、トランジスター（Ｙ１）のドレーンは電源（Ｖｓ）と連結されており、トランジスター（Ｙ２）のソース電圧は０Ｖ電圧になるため、二つのトランジスター（Ｙ１、Ｙ２）の両断における電圧差はＶｓ電圧となる。従って、トランジスター（Ｙ１、Ｙ２）各々は、Ｖｓ／２電圧を耐圧として有するトランジスターを使用できる。
【００４３】
モード３（Ｍ３）では、トランジスター（Ｙ１、Ｙ２）が導通状態になり、トランジスター（Ｙ３）が遮断状態になることで、図５Ｃに示したように、電源（Ｖｓ）、トランジスター（Ｙ１、Ｙ２、Ｙｎ）、キャパシタ（Ｃｓ２）、インダクター（Ｌｙ）、トランジスター（Ｙｒ）、トランジスター（Ｓｃｌ）のボディーダイオード及びパネルキャパシタ（Ｃｐ）のＹ電極（Ｙ）の経路で共振が発生する（経路は図５Ｃの丸３で示している）。そして、キャパシタ（Ｃｓ２）に充電されたエネルギーがインダクター（Ｌｙ）を通してＹ電極（Ｙ）に注入されて、Ｙ電極（Ｙ）の電圧がＶｓ電圧から２Ｖｓ電圧まで増加する。
【００４４】
次に、モード４（Ｍ４）でトランジスター（Ｓｃｈ）が導通状態になり、トランジスター（Ｙｒ）が遮断状態になることで、図５Ｄに示したように、電源（Ｖｓ）、トランジスター（Ｙ１、Ｙ２、Ｙｎ）、キャパシタ（Ｃｓ２、Ｃｓ１）、トランジスター（Ｓｃｈ）及びパネルキャパシタ（Ｃｐ）のＹ電極（Ｙ）の経路を通してＹ電極（Ｙ）に２Ｖｓ電圧が印加される（経路は図５Ｄの丸４で示している）。この時、トランジスター（Ｙ３）のドレーン電圧がＶｓ電圧になるため、トランジスター（Ｙ１）のドレーン−ソース間の電圧差はＶｓ電圧となる。そして、トランジスター（Ｙｐ）のソース電圧はＶｓ電圧になってトランジスター（Ｙｐ）のドレーン電圧は２Ｖｓ電圧になるため、トランジスター（Ｙｐ）のドレーン−ソース間の電圧差もＶｓ電圧となる。従って、トランジスター（Ｙ３、Ｙｐ）はＶｓ電圧を有するトランジスターを使用できる。また、トランジスター（ＹＬ）のソース電圧は２Ｖｓ電圧になり、トランジスター（Ｓｃｌ）のドレーン電圧は２Ｖｓ電圧になるため、２つのトランジスター（Ｓｃｌ、ＹＬ）両端の電圧差はＶｓ電圧になる。従って、トランジスター（Ｓｃｌ、ＹＬ）各々はＶｓ／２電圧の耐圧を有するトランジスターを用いてもよい。
【００４５】
次に、モード５（Ｍ５）でトランジスター（Ｓｃｌ）が導通状態になり、トランジスター（Ｓｃｈ）が遮断状態になることで、図５Ｅに示したように、パネルキャパシタ（Ｃｐ）のＹ電極（Ｙ）、トランジスター（Ｓｃｌ）、トランジスター（Ｙｒ）のボディーダイオード、インダクター（Ｌｙ）、キャパシタ（Ｃｓ２）、トランジスター（Ｙｎ、Ｙ２、Ｙ１）のボディーダイオード及び電源（Ｖｓ）の経路で共振が発生する（経路は図５Ｅの丸５で示している）。そして、パネルキャパシタ（Ｃｐ）に保存されたエネルギーがインダクター（Ｌｙ）を通して電源（Ｖｓ）で回収され、Ｙ電極（Ｙ）の電圧が２Ｖｓ電圧からＶｓ電圧まで減少する。
【００４６】
次に、モード６（Ｍ６）でトランジスター（Ｙ３）が導通状態になり、トランジスター（Ｙ１、Ｙ２）が遮断状態になることで、図５Ｆに示したように、パネルキャパシタ（Ｃｐ）のＹ電極（Ｙ）、トランジスター（Ｓｃｌ）、トランジスター（Ｙｒ）のボディーダイオード、インダクター（Ｌｙ）、キャパシタ（Ｃｓ２）、トランジスター（Ｙｎ）のボディーダイオード、トランジスター（Ｙ３）及び接地線０の経路で共振が発生する（経路は図５Ｆの丸６で示している）。そして、パネルキャパシタ（Ｃｐ）に保存されたエネルギーがインダクター（Ｌｙ）を通して接地線０で回収され、Ｙ電極（Ｙ）の電圧がＶｓ電圧から０Ｖ電圧まで減少する。
【００４７】
次に、モード７（Ｍ７）でトランジスター（Ｙｐ、Ｙ２）が導通状態になり、トランジスター（Ｙｎ）が遮断状態になることで、図５Ｇに示したように、パネルキャパシタ（Ｃｐ）のＹ電極（Ｙ）、トランジスター（Ｓｃｌ）、トランジスター（Ｙｒ）のボディーダイオード、インダクター（Ｌｙ）、キャパシタ（Ｃｓ１）、トランジスター（Ｙｐ、Ｙ２、Ｙ３）及び接地線０の経路で共振が発生する（経路は図５Ｇの丸７で示している）。そして、パネルキャパシタ（Ｃｐ）に保存されたエネルギーがインダクター（Ｌｙ）を通して、接地線０で回収され、Ｙ電極（Ｙ）の電圧が０Ｖ電圧から−Ｖｓ電圧まで減少する。
【００４８】
最後に、モード８（Ｍ８）でトランジスター（ＹＬ）が導通状態になることで、図５Ｈに示したように、パネルキャパシタ（Ｃｐ）のＹ電極（Ｙ）、トランジスター（Ｓｃｌ、ＹＬ）、キャパシタ（Ｃｓ２、Ｃｓ１）、トランジスター（Ｙｐ、Ｙ２、Ｙ３）及び接地線０の経路を通してＹ電極に０Ｖ電圧が印加される（経路は図５Ｈの丸８で示している）。この時、トランジスター（Ｙ１）のソース電圧が０Ｖ電圧になるため、トランジスター（Ｙ１）のドレーン−ソース電圧差はＶｓ電圧になる。そして、トランジスター（Ｙｎ）のソース電圧は−Ｖｓ電圧になり、トランジスター（Ｙｎ）のドレーン電圧は０Ｖ電圧になるため、トランジスター（Ｙｎ）のドレーン−ソース電圧差もＶｓ電圧になる。また、トランジスター（Ｙｒ）のソース電圧は０Ｖになり、トランジスター（Ｙｒ）のドレーン電圧は−Ｖｓ／２電圧になるため、トランジスター（Ｙｒ）のドレーン−ソース電圧差はＶｓ／２電圧になる。従って、トランジスター（Ｙ１、Ｙｎ）はＶｓ電圧以上の耐圧を有するトランジスターを用いることができ、トランジスター（Ｙｒ）はＶｓ／２電圧以上の耐圧を有するトランジスターを用いることができる。またトランジスター（Ｓｃｈ）のドレーン電圧が０Ｖ電圧になり、トランジスター（Ｓｃｈ）のソース電圧は−Ｖｓ電圧になるため、トランジスター（Ｓｃｈ）のドレーン−ソース電圧差はＶｓ電圧になる。従って、トランジスター（Ｓｃｈ）も、Ｖｓ電圧以上の耐圧を有するトランジスターを用いることができる。
【００４９】
このように、トランジスター（Ｓｃｌ、Ｙｒ、Ｙ２、ＹＬ）は維持放電パルスのハイレベル電圧（２Ｖｓ）とローレベル電圧（−Ｖｓ）の差に当る電圧の１／６、つまり、Ｖｓ／２電圧以上の耐圧を有するトランジスターを用いることができ、トランジスター（Ｙ１、Ｙ３、Ｙｐ、Ｙｎ、Ｓｃｈ）は維持放電パルスのハイレベル電圧（２Ｖｓ）とローレベル電圧（−Ｖｓ）の差に当る電圧の１／３、つまり、Ｖｓ電圧以上の耐圧を有するトランジスターを使用できるため、回路の製造費用を節減できる。そして、維持期間の間にモード１乃至モード８（Ｍ１〜Ｍ８）が当該サブフィールドの加重値に当る回数だけ繰り返されてＹ電極に２Ｖｓ電圧と−Ｖｓ電圧が交互に印加することができる。
【００５０】
そして、図６に示された維持放電駆動回路４１０’でも、図２に示された維持放電パルスを生成できる。
【００５１】
図６は図２の駆動波形を生成するための他の実施形態の維持放電駆動回路４１０’を示した説明図であり、図７は図２の駆動波形を生成するための維持放電駆動回路４１０’の信号タイミングを示した説明図である。
【００５２】
図６に示したように、維持放電駆動回路４１０’はトランジスター（Ｙｒ）の代わりにトランジスター（Ｙｆ）がインダクター（Ｌｙ）の第２端と走査ＩＣ４１１の第１入力端の間に連結されており、トランジスター（ＹＬ）の代わりにトランジスター（ＹＨ）がトランジスター（Ｙｐ）のドレーンと走査ＩＣ４１１の第１入力端に連結されていることを除いて維持放電駆動回路４１０と同様である。このような維持放電駆動回路４１０’は、図７に示したように、モード１（Ｍ１’）が始まる前にトランジスター（Ｙ２、Ｙ３、Ｙｐ、Ｓｃｌ）が導通状態になっていると仮定すると、モード１（Ｍ１’）でトランジスター（Ｓｃｌ）を遮断してトランジスター（Ｓｃｈ）を導通し、モード２（Ｍ２’）でトランジスター（Ｙ２、Ｙｐ）を遮断してトランジスター（Ｙｎ）を導通し、モード３（Ｍ３’）でトランジスター（Ｙ３）を遮断してトランジスター（Ｙ１、Ｙ２）を導通し、モード４（Ｍ４’）でトランジスター（ＹＨ）を導通し、モード５（Ｍ５’）でトランジスター（ＹＨ、Ｓｃｈ）を遮断してトランジスター（Ｙｆ）を導通し、モード６（Ｍ６’）でトランジスター（Ｙ１、Ｙ２）を遮断してトランジスター（Ｙ３）を導通し、モード７（Ｍ７’）でトランジスター（Ｙｎ）を遮断してトランジスター（Ｙ２、Ｙｐ）を導通し、モード８（Ｍ８'）でトランジスター（Ｙｆ）を遮断してトランジスター（Ｓｃｌ）を導通する。そして、維持期間の間にモード１〜モード８（Ｍ１’〜Ｍ８’）が当該サブフィールドの加重値に当る回数だけ繰り返されてＹ電極に２Ｖｓ電圧と−Ｖｓ電圧が交互に印加できる。
【００５３】
以上、図３及び図６に示した本発明の一実施形態による、維持放電駆動回路４１０、４１０’による駆動波形の生成について説明した。図２に示した駆動波形は、各Ｙ電極と各Ｘ電極の電圧差が３Ｖｓ電圧と−３Ｖｓ電圧を交互に有する。この時、３Ｖｓの電圧値がＶｓ’電圧値と同じであれば、図８Ａ〜図８Ｃのような駆動波形を印加できる。
【００５４】
図８Ａ〜図８Ｃは、各々本発明の第２〜第４の実施形態によるプラズマ表示装置の駆動波形を示した図である。
【００５５】
図８Ａに示したように、維持期間の間に、複数のＹ電極（Ｙ１〜Ｙｎ）と複数のＸ電極（Ｘ１〜Ｘｎ）にハイレベル電圧（Ｖｓ’）とローレベル電圧（０Ｖ）を交互に有する維持放電パルスを逆位相で印加できる。この時、維持放電駆動回路４１０、４１０’でトランジスター（Ｙ１）のドレーンを２Ｖｓ’／３電圧を供給する電源２Ｖｓ’／３に連結して、トランジスター（Ｙ１）のソースをＶｓ’／３電圧を供給する電源Ｖｓ’／３に連結すればよい。
【００５６】
そして、図８Ｂに示したように、複数のＹ電極（Ｙ１〜Ｙｎ）と複数のＸ電極（Ｘ１〜Ｘｎ）にハイレベル電圧Ｖｓ’／２とローレベル電圧Ｖｓ’／２を交互に有する維持放電パルスを逆位相で印加できる。つまり、走査電極駆動部４００は、複数のＹ電極（Ｙ１〜Ｙｎ）にハイレベル電圧（Ｖｓ’またはＶｓ’／２）及びローレベル電圧（０Ｖまたは−Ｖｓ’／２）を交互に有する維持放電パルスを当該サブフィールドの加重値に当る回数だけ印加し、維持電極駆動部５００は複数のＸ電極（Ｘ１〜Ｘｎ）に維持放電パルスをＹ電極（Ｙ１〜Ｙｎ）に印加される維持放電パルスと逆位相で印加する。このようにしても、各Ｙ電極と各Ｘ電極の電圧差が電圧Ｖｓ’と−電圧Ｖｓ’である状態を交互に有し、そのために点灯される放電セルで維持放電が所定回数だけ繰り返して発生するようになる。この場合には、維持放電駆動回路４１０、４１０'でトランジスター（Ｙ１）のドレーンをＶｓ’／６電圧を供給する電源（Ｖｓ’／６）に連結し、トランジスター（Ｙ３）のソースを−Ｖｓ’／６電圧を供給する電源（−Ｖｓ’／６）に連結すれば良い。
【００５７】
また、図８Ｃに示したように、Ｘ電極とＹ電極のうちの何れか一つの電極にだけ維持放電パルスを印加できる。つまり、維持期間でＸ電極に０Ｖ電圧が印加された状態でＹ電極にＶｓ’電圧と−Ｖｓ’電圧を交互に有する維持放電パルスを印加できる。このようにしても、各Ｙ電極と各Ｘ電極の電圧差が電圧Ｖｓ’と電圧−Ｖｓ’である状態を交互に有し、そのために点灯される放電セルで維持放電が所定回数だけ繰り返して発生できる。この場合には、維持放電駆動回路４１０、４１０’でトランジスター（Ｙ１）のドレーンをＶｓ'／３電圧を供給する電源（Ｖｓ’／３）に連結し、トランジスター（Ｙ３）のソースを−Ｖｓ’／３電圧を供給する電源（−Ｖｓ’／３）に連結すれば良い。この時、Ｘ電極には０Ｖ電圧が印加できる。
【００５８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５９】
【図１】本発明の一実施形態によるプラズマ表示装置を示した説明図である。
【図２】本発明の第１の実施形態による駆動波形を示した説明図である。
【図３】図２の駆動波形を生成するための走査電極駆動部４００の維持放電駆動回路４１０を示した説明図である。
【図４】図２の駆動波形を生成するための維持放電駆動回路４１０の信号タイミングを示した説明図である。
【図５Ａ】図４の信号タイミングに応じた維持放電駆動回路４１０の動作を示した説明図である。
【図５Ｂ】図４の信号タイミングに応じた維持放電駆動回路４１０の動作を示した説明図である。
【図５Ｃ】図４の信号タイミングに応じた維持放電駆動回路４１０の動作を示した説明図である。
【図５Ｄ】図４の信号タイミングに応じた維持放電駆動回路４１０の動作を示した説明図である。
【図５Ｅ】図４の信号タイミングに応じた維持放電駆動回路４１０の動作を示した説明図である。
【図５Ｆ】図４の信号タイミングに応じた維持放電駆動回路４１０の動作を示した説明図である。
【図５Ｇ】図４の信号タイミングに応じた維持放電駆動回路４１０の動作を示した説明図である。
【図５Ｈ】図４の信号タイミングに応じた維持放電駆動回路４１０の動作を示した説明図である。
【図６】図２の駆動波形を生成するための他の形態の維持放電駆動回路４１０'を示した説明図である。
【図７】図２の駆動波形を生成するための維持放電駆動回路４１０'の信号タイミングを示した説明図である。
【図８Ａ】本発明の第２〜第４実施形態によるプラズマ表示装置の駆動波形を示した説明図である。
【図８Ｂ】本発明の第２〜第４実施形態によるプラズマ表示装置の駆動波形を示した説明図である。
【図８Ｃ】本発明の第２〜第４実施形態によるプラズマ表示装置の駆動波形を示した説明図である。
【符号の説明】
【００６０】
１００      プラズマ表示パネル
１１０      放電空間がセル
２００      制御部
３００      アドレス電極駆動部
４００      走査電極駆動部
４１０、４１０’      維持放電駆動回路
５００      維持電極駆動部
４１１、４３１      走査ＩＣ
Ｌｙ        インダクター
Ｖｓ        電源
Ｃｓ１、Ｃｓ２      キャパシタの第２端及びキャパシタ
Ｙ１、Ｙ２、Ｙ３、Ｙｐ、Ｙｎ、Ｙｒ、ＹＬ、Ｓｃｈ、Ｓｃｌ    トランジスター
【図１】
2008077049.tif 000003
【図２】
2008077049.tif 000004
【図３】
2008077049.tif 000005
【図４】
2008077049.tif 000006
【図５Ａ】
2008077049.tif 000007
【図５Ｂ】
2008077049.tif 000008
【図５Ｃ】
2008077049.tif 000009
【図５Ｄ】
2008077049.tif 000010
【図５Ｅ】
2008077049.tif 000011
【図５Ｆ】
2008077049.tif 000012
【図５Ｇ】
2008077049.tif 000013
【図５Ｈ】
2008077049.tif 000014
【図６】
2008077049.tif 000015
【図７】
2008077049.tif 000016
【図８Ａ】
2008077049.tif 000017
【図８Ｂ】
2008077049.tif 000018
【図８Ｃ】
2008077049.tif 000019